(57)【要約】【課題】  ＴＶ放送の受信機能を備える携帯端末において、消費電力の低減を図ることができるようにする。【解決手段】  ＣＰＵ２３はバックライト制御部２５を通じてバックライト２７を点灯する。ＣＭ識別子検出部１９を制御して携帯端末がリアルタイムで受信した放送電波のＴＳの復調信号、又は再生データ保持部５からのＴＳの復調信号の中からＣＭ識別子を検出させ、検出結果をメモリ部２１に記憶させる。読み出した検出結果と現在時刻とからコマーシャルの開始時刻か否か判断する。開始時刻であればバックライト２７を消灯させる。この消灯は、コマーシャルの終了時刻が到来するまで継続される。コマーシャルの終了時刻が到来すると、再びバックライト２７を点灯させる。【選択図】        図１
2005328282.tif 000002
【特許請求の範囲】
【請求項１】
ＴＶ放送電波の受信が行える携帯端末において、
受信するＴＶ放送電波によって伝送される放送番組の内容をユーザに報知するための報知部と、
受信中又は受信したＴＶ放送電波から、放送された番組の種類を識別する識別部と、
前記識別部により識別された番組の種類が、ユーザが所望する番組かどうか判断する判断部と、
前記判断部が、ユーザが所望しない番組であると判断した場合に、前記報知部に供給される電力を少なくとも前記番組の放送が終了するまでの間、節減又は遮断する電力制御部と、
を備える携帯端末。
【請求項２】
請求項１記載の携帯端末において、
前記ユーザが所望しない番組が、少なくともコマーシャル番組を含む携帯端末。
【請求項３】
請求項１記載の携帯端末において、
前記報知部が、放送番組を構成する画像情報を可視画像として表示するための画像表示部と、該放送番組を構成する音声情報を可聴音声として出力する音声出力部と、を含む携帯端末。
【請求項４】
請求項１又は請求項２記載の携帯端末において、
前記ＴＶ放送電波が、ディジタルＴＶ放送電波であり、
前記識別部が、受信中又は受信した前記ディジタルＴＶ放送電波に含まれる、予め決められたコマーシャル番組の識別子の有無を検出することによって、放送された番組がコマーシャル番組か否か識別するようにした携帯端末。
【請求項５】
請求項４記載の携帯端末において、
前記識別子が、コマーシャル番組の開始時刻情報及び放送時間情報を少なくとも含む携帯端末。
【請求項６】
請求項１又は請求項３記載の携帯端末において、
前記画像表示部が、液晶表示画面と、該液晶表示画面を照射するバックライトと、を備え、
前記電力制御部が、前記識別部からの識別結果に応じて、前記バックライトの点／消灯制御及び／又は前記音声出力部の制御を行うようにした携帯端末。
【請求項７】
請求項１又は請求項６記載の携帯端末において、
前記電力制御部による、前記報知部に供給する電力を節減又は遮断する制御モードが、ユーザによって設定可能である携帯端末。
【請求項８】
請求項１又は請求項２記載の携帯端末において、
前記ＴＶ放送電波が、アナログＴＶ放送電波であり、
前記識別部が、受信中又は受信した前記アナログＴＶ放送電波に含まれる音声信号がステレオ放送モードになっているか否か識別することによって、放送された番組がコマーシャル番組か否か識別するようにした携帯端末。
【発明の詳細な説明】
【技術分野】
【０００１】
本発明は、ＴＶ放送電波の受信が行える携帯端末に関する。
【背景技術】
【０００２】
従来、通話中の表示画面の視認性を改善することを目的とした携帯型テレビジョン（以下、「ＴＶ」と表記する）電話機が提案されている。該携帯型ＴＶ電話機では、操作手段による入力操作の有無、着音声入力検出手段による通話相手からの着音声入力の検出の有無、及び音声入力検出手段によるユーザの音声入力の検出の有無に応じて、バックライト制御手段が表示手段の画面を照射するバックライトの点灯制御を行う（例えば特許文献１参照）。
【０００３】
また、記録されたＴＶ放送番組等からコマ−シャル部分を除いて再生することを目的とした信号処理方法、及びその装置も提案されている。この方法、及び装置では、録画されたＴＶ放送番組の音声信号中の無音部分の繰り返しを検出して、コマーシャルか否か判断し、コマーシャルであれば、その始めの位置と長さ、又はその開始位置と終了位置とを求めて記録媒体上又は別途設けた記憶装置に記憶する。そして、再生時には、上記記憶に従ってコマーシャルの部分を飛ばして再生するようにする（例えば特許文献２参照）。
【０００４】
【特許文献１】特開2003―174503号公報
【特許文献２】特開平9-284706号公報
【発明の開示】
【発明が解決しようとする課題】
【０００５】
ところで、上述した第１の提案に係る携帯型ＴＶ電話機では、内蔵しているＴＶ放送受信回路による電力消費を抑制するため、操作手段が操作されてない場合、着音声入力検出手段が着音声入力を検出してない場合、及び音声入力検出手段が音声入力を検出してない場合等に限って、バックライトの点灯制御が行われる。よって、上記携帯型ＴＶ電話機がＴＶ放送を受信しているときのように、ユーザが操作手段の操作を行わず、また、着音声入力検出手段が着音声入力を常時検出しているような場合には、バックライト制御手段によるバックライトの点灯制御が行えないという問題が生じる。
【０００６】
一方、上記第２の提案に係る信号処理方法、及び装置は、上述した携帯型ＴＶ電話機のようなモバイル（可動）型のＴＶ放送受信装置に係わるものではなく、固定型のＴＶ放送受信装置に係るものである。しかも、上記信号処理装置（ＴＶ放送受信装置）では、該装置とは別の記録媒体又は記憶装置（例えば磁気記録再生装置）に記録されたＴＶ放送の全部の内容中から、コマーシャル部分を除いた内容のみが再生されるのであり、ＴＶ放送受信中にコマーシャル抜きの放送内容がリアルタイムでユーザに提供されるものではない。よって、必ずしも電力消費の抑制には繋がらない。
【０００７】
以上説明した内容から明らかなように、上述した第１の提案に係る携帯型ＴＶ電話機、第２の提案に係る信号処理方法、及び装置の何れにおいても、ＴＶ放送の受信機能を備える携帯端末において消費電力の低減を図ることは困難であった。
【０００８】
従って本発明の目的は、ＴＶ放送の受信機能を備える携帯端末において、消費電力の低減を図ることができるようにすることにある。
【課題を解決するための手段】
【０００９】
本発明に従う携帯端末は、ＴＶ放送電波の受信が行えるもので、受信するＴＶ放送電波によって伝送される放送番組の内容をユーザに報知するための報知部と、受信中又は受信したＴＶ放送電波から、放送された番組の種類を識別する識別部と、上記識別部により識別された番組の種類が、ユーザが所望する番組かどうか判断する判断部と、上記判断部が、ユーザが所望しない番組であると判断した場合に、上記報知部に供給される電力を少なくとも上記番組の放送が終了するまでの間、節減又は遮断する電力制御部と、を備える。
【００１０】
本発明に係る好適な実施形態では、上記ユーザが所望しない番組が、少なくともコマーシャル番組を含む。
【００１１】
上記とは別の実施形態では、上記報知部が、放送番組を構成する画像情報を可視画像として表示するための画像表示部と、その放送番組を構成する音声情報を可聴音声として出力する音声出力部と、を含む。
【００１２】
また、上記とは別の実施形態では、上記ＴＶ放送電波が、ディジタルＴＶ放送電波であり、上記識別部が、受信中又は受信した上記ディジタルＴＶ放送電波に含まれる、予め決められたコマーシャル番組の識別子の有無を検出することによって、放送された番組がコマーシャル番組か否か識別するようにしている。
【００１３】
また、上記とは別の実施形態では、上記識別子が、コマーシャル番組の開始時刻情報及びそのコマーシャル番組の放送時間情報を少なくとも含む。
【００１４】
また、上記とは別の実施形態では、上記画像表示部が、液晶表示画面と、その液晶表示画面を照射するバックライトと、を備え、上記電力制御部が、上記識別部からの識別結果に応じて、上記バックライトの点／消灯制御及び／又は上記音声出力部の制御を行うようにしている。
【００１５】
また、上記とは別の実施形態では、上記電力制御部による、上記報知部に供給する電力を節減又は遮断する制御モードが、ユーザによって設定可能である。
【００１６】
更に、上記とは別の実施形態では、上記ＴＶ放送電波が、アナログＴＶ放送電波であり、上記識別部が、受信中又は受信した上記アナログＴＶ放送電波に含まれる音声信号がステレオ放送モードになっているか否か識別することによって、放送された番組がコマーシャル番組か否か識別するようにしている。
【発明の効果】
【００１７】
本発明によれば、ＴＶ放送の受信機能を備える携帯端末において、消費電力の低減を図ることができるようにすることができる。
【発明を実施するための最良の形態】
【００１８】
以下、本発明の実施の形態を、図面により詳細に説明する。
【００１９】
図１は、本発明の一実施形態に係る携帯端末の全体構成を示すブロック図である。
【００２０】
上記携帯端末は、本来の機能である携帯電話機としての（相手方端末との間の）通話機能に加えて、ディジタルＴＶ放送の電波を受信する機能をも持つ。上記携帯端末は、図１に示すように、アンテナ１と、チューナ３と、再生データ保持部５と、データ切替部７と、トランスポート・ストリーム（以下、「ＴＳ」と表記する）デコード部９と、音声デコ−ド部１１と、スピーカ１３とを備える。上記携帯端末は、上記各部に加えて更に、ビデオデコード部１５と、液晶表示部（以下、「ＬＣＤ」と表記する）１７と、コマーシャル（以下、「ＣＭ」と表記する）識別子検出部１９と、メモリ部２１と、ＣＰＵ２３と、バックライト制御部２５と、バックライト２７と、録画スイッチ２９とを備える。
【００２１】
アンテナ１は、複数のディジタルＴＶ放送の基地局（中継局）（図示しない）を通じて複数のディジタルＴＶ放送局（図示しない）から放送される電波を受信し、受信したディジタルＴＶ放送の電波をチューナ３に出力する。チューナ３は、ＣＰＵ２３の制御下で、アンテナ１が受信した上記各放送電波のうちから特定の（ディジタルＴＶ）放送局（図示しない）からの放送電波を選択し、該選択した放送電波をＴＳとして、データ切替部７、及び録画スイッチ２９に夫々出力する。
【００２２】
録画スイッチ２９は、ＣＰＵ２３の制御下でオン／オフ動作するものである。即ち、録画スイッチ２９は、携帯端末がＣＰＵ２３によって録画モードに設定されたときオン動作して、チューナ３から出力されるＴＳが再生データ保持部５に入力される。なお、録画スイッチ２９は、携帯端末がＣＰＵ２３によって録画・リアルタイム視聴モードに設定されたときには、データ切替部７がチューナ３側の接点を閉じるのと同期してオン動作するようになっている。
【００２３】
再生データ保持部５は、ＣＰＵ２３により携帯端末が録画モードに設定されることで駆動状態になり、チューナ３から録画スイッチ２９を通じて出力されるＴＳを録画すると共に、ＣＰＵ２３により携帯端末が再生モードに設定されることで駆動状態になり、録画し保持しているＴＳをデータ切替部７に出力する。
【００２４】
データ切替部７は、ＣＰＵ２３の制御下で、チューナ３側の接点又は再生データ保持部５側の接点の一方を択一的に閉じる切替動作をすることにより、チューナ３から出力されるＴＳ、又は再生データ保持部５に保持されている再生データのＴＳの何れか一方を、択一的にＴＳデコード部９に出力する。即ち、データ切替部７は、ＣＰＵ２３の制御下で、携帯端末がリアルタイム視聴モードに設定されたとき、又は録画・リアルタイム視聴モードに設定されたときには、チューナ３側の接点を閉じることによって、チューナ３側から出力されるＴＳがＴＳデコード部９に入力される。データ切替部７は、また、ＣＰＵ２３の制御下で、携帯端末が録画モードに設定されたとき、又は携帯端末が再生モードに設定されたときには、再生データ保持部５側の接点を閉じることによって、再生データ保持部５側から出力される録画されたＴＳがＴＳデコード部９に入力される。
【００２５】
ＴＳデコード部９は、ＣＰＵ２３の制御下で、データ切替部７を通じてチューナ３から出力される放送電波のＴＳ、又は再生データ保持部５から出力される再生データのＴＳを入力する。そして、上記放送電波のＴＳ又は再生データのＴＳを復調した後、音声デコード部１１、ビデオデコード部１５、及びＣＭ識別子検出部１９に夫々出力する。音声デコード部１１は、ＣＰＵ２３の制御下で、ＴＳデコード部９より出力される上記ディジタルデータから該ディジタルデータ中に含まれる音声データを抽出してアナログの音声信号に変換し、スピーカ１３を通じて音声として外部に出力する。
【００２６】
ビデオデコード部１５は、ＣＰＵ２３の制御下で、ＴＳデコード部９より出力される上記ディジタルデータから該ディジタルデータ中に含まれる画像（静止画像、及び動画の双方を含む）データを抽出してアナログの画像（映像）信号に変換し、ＬＣＤ１７上に可視画像として表示する。ＣＭ識別子検出部１９は、ＣＰＵ２３の制御下で、例えば予め放送局（図示しない）から送信される番組配列情報の中からコマーシャル番組の時間軸上の位置や長さに係る情報を検出して、該情報を検出結果としてメモリ部２１に出力する。或いは、ＣＭ識別子検出部１９は、受信した放送電波の中に含まれる、コマーシャル番組であることを示す所定の識別情報（予め設定された特定の識別コード等）の有無をチェックして、該識別情報を検出したときの、その時間軸上の位置、及び次に識別情報を検出するまでの間の時間軸上における長さ等の情報を、メモリ部２１に出力する。
【００２７】
バックライト制御部２５は、ＣＰＵ２３の制御下で、ＬＣＤ１７の（表示）画面を照射するバックライト２７の点灯制御を行う。ここで、ＬＣＤ１７には透過型のＬＣＤが採用されており、バックライト２７はＬＣＤ１７に備え付けられているものである。
【００２８】
ＣＰＵ２３は、携帯端末の操作部（図示しない）を通じて入力されたユーザからの選局指令に基づいてチューナ３を制御することにより、チューナ３を通じてアンテナ１が受信した放送電波の中から（ユーザが発した）上記選局指令に対応する放送局（図示しない）からの放送電波を選択する。ＣＰＵ２３は、また、上記操作部（図示しない）を通じてユーザが選択したモ−ドが、例えばリアルタイム視聴モードであった場合には、データ切替部７の接点がチューナ３の出力側を閉じるようにデータ切替部７を制御すると共に、録画スイッチ２９をオフ動作させ、再生データ保持部５を駆動停止状態に置く。そして、ＴＳデコード部９、音声デコード部１１、ビデオデコード部１５、ＣＭ識別子検出部１９、メモリ部２１、及びバックライト制御部２５を駆動状態にする。
【００２９】
これにより、アンテナ１によって受信されたディジタルＴＶ放送の電波がチューナ３に入力されると、チューナ３において上記放送電波のうちから特定の放送局（図示しない）の放送電波が選択され、該選択された放送電波がＴＳとして、データ切替部７を通じてＴＳデコード部９に出力される。該ＴＳは、ＴＳデコード部９において復調された後、音声デコード部１１、ビデオデコード部１５、及びＣＭ識別子検出部１９に夫々出される。以下、音声デコード部１１では、上記ＴＳの復調信号から該復調信号中に含まれる音声データが抽出されてアナログの音声信号に変換され、スピーカ１３を通じて音声として外部に出力される。また、ビデオデコード部１５では、上記ＴＳの復調信号から該復調信号中に含まれる画像（静止画像、及び動画の双方を含む）データが抽出されてアナログの画像（映像）信号に変換され、ＬＣＤ１７上に可視画像として表示される。
【００３０】
更に、ＣＭ識別子検出部１９では、上記ＴＳの復調信号からコマーシャル番組の時間軸上の位置や長さに係る情報が検出され、該情報がメモリ部２１に記憶される。そして、ＣＰＵ２３が、上記コマーシャル番組の時間軸上の位置や長さに係る情報を、適宜の時間間隔でメモリ部２１から読み出し、コマーシャル番組が受信される時間帯が到来したと判断したとき、バックライト制御部２５を通じてバックライト２７を消灯するか、或いはバックライト２７から照射される光の照度を低下させる制御を行う。これによって、携帯端末の駆動電源であるバッテリ（図示しない）に蓄積されている電力の消費量を節減することが可能になる。
【００３１】
ＣＰＵ２３は、また、上記操作部（図示しない）を通じてユーザが選択したモ−ドが、例えば録画・リアルタイム視聴モードであった場合には、データ切替部７の接点がチューナ３の出力側を閉じるようにデータ切替部７を制御すると共に、録画スイッチ２９をもオン動作させ、再生データ保持部５を駆動状態に置く。そして、ＴＳデコード部９、音声デコード部１１、ビデオデコード部１５、ＣＭ識別子検出部１９、メモリ部２１、及びバックライト制御部２５を駆動状態にする。これにより、アンテナ１によって受信されたディジタルＴＶ放送の電波がチューナ３に入力されると、チューナ３において上記放送電波のうちから特定の放送局（図示しない）の放送電波が選択され、該選択された放送電波がＴＳとして、データ切替部７を通じてＴＳデコード部９に出力されると共に、録画スイッチ２９を通じて再生データ保持部５にも出力される。そして、上記ＴＳが再生データ保持部５に記録される。リアルタイム視聴における携帯端末各部の動作は、上述したとおりである。
【００３２】
ＣＰＵ２３は、また、上記操作部（図示しない）を通じてユーザが選択したモ−ドが、例えば録画モードであった場合には、データ切替部７の接点をチューナ３の出力側でも再生データ保持部５の出力側でもない中立の位置に動かして該位置にて保持すると共に、録画スイッチ２９をオン動作させて、チューナ３から出力されるＴＳを再生データ保持部５に記録させる。
【００３３】
ＣＰＵ２３は、更に、上記操作部（図示しない）を通じてユーザが選択したモ−ドが例えば再生モードであった場合には、録画スイッチ２９をオフ動作させ、且つ、データ切替部７の接点が再生データ保持部５の出力側を閉じるようにデータ切替部７を制御する。これにより、再生データ保持部５に記録されているＴＳが、上述した態様で再生される。
【００３４】
再生データ保持部５に記録されているＴＳの復調信号についても、リアルタイム視聴におけるＴＳの復調信号と同様に、ＣＭ識別子検出部１９においてコマーシャル番組の時間軸上の位置や長さに係る情報が検出され、該情報がメモリ部２１に記憶される。そして、ＣＰＵ２３が、上記コマーシャル番組の時間軸上の位置や長さに係る情報を、適宜の時間間隔でメモリ部２１から読み出し、コマーシャル番組が再生される時間帯が到来したと判断したとき、バックライト制御部２５を通じてバックライト２７を消灯するか、或いはバックライト２７から照射される光線の照度を低下させる制御を行う。
【００３５】
図２は、本発明の一実施形態に係るＴＶ信号の構成を示す説明図である。
【００３６】
上記ＴＶ信号は、図２に示すように、放送番組の内容である本放送信号３１と、コマーシャル放送信号３３と、コマーシャル放送信号３３の後で放送される本放送信号３５とで構成されている。ＴＶ放送では、キー局となる本局から放送内容が各地域の放送局に配信される。各地域の放送局では、放送内容に地域性を持たせるために、配信内容のコマーシャル部分を各地域毎に対応したコマーシャルに置き換える処理が行われる。このような置き換えを容易にするために、本放送信号３１には、コマーシャル放送信号３３の開始位置と終了位置とを示す情報であるコマーシャル位置情報３７が挿入されている。
【００３７】
図３は、図１に記載の携帯端末における各部の処理動作を示すフローチャートである。
【００３８】
図３において、ＣＰＵ２３は、まず、バックライト制御部２５を通じてバックライト２７を点灯する（ステップＳ４１）。次に、ＣＭ識別子検出部１９を制御して、携帯端末がリアルタイムで受信した放送電波のＴＳの復調信号、又は再生データ保持部５から出力されるＴＳの復調信号の中からＣＭ識別子（例えば、上述した特定の識別コード等）を検出させると共に、ＣＭ識別子検出部１９による検出結果を、メモリ部２１に記憶させる（ステップＳ４２）。
【００３９】
次に、ＣＰＵ２３が、メモリ部２１から上記検出結果を読み出して、該検出結果と、現在時刻とからコマーシャルが開始される時刻が到来したか否かを判断する。ここで、ＣＰＵ２３が現在時刻を認識する方法としては、例えば携帯電話のサービス網を形成している基地局（図示しない）から無線伝送される時刻情報を利用する方法、或いは携帯端末に内蔵するタイマ（図示しない）から提供される時刻情報を利用する方法等が想定される（ステップＳ４３）。
【００４０】
上記判断の結果、コマーシャルの開始時刻が到来していなければ（ステップＳ４３でNO）、ステップＳ４２で示した処理動作に復帰する。一方、上記判断の結果、コマーシャルの開始時刻が到来したことを認識すると（ステップＳ４３でYES）、バックライト制御部２５を通じてバックライト２７を消灯させる（ステップＳ４４）。このバックライト２７の消灯は、ＣＰＵ２３が上記コマーシャルの終了時刻が到来したと認識するまでの間、継続される（ステップＳ４５でNO）。そして、上記コマーシャルの終了時刻が到来したことを認識すると（ステップＳ４５でYES）、バックライト制御部２５を通じて再びバックライト２７を点灯させ（ステップＳ４６）、ステップＳ４２で示した処理動作に復帰する。
【００４１】
以上説明したように、本発明の一実施形態によれば、コマーシャルの開始時刻からその終了時刻までの間、バックライト２７を消灯させることにしたので、携帯端末の駆動電源であるバッテリ（図示しない）に蓄積されている電力の消費量を節減することが可能になり、ＴＶ放送の受信機能を備える携帯端末において、消費電力の低減を図ることができる。
【００４２】
図４は、本発明の他の実施形態に係る携帯端末の全体構成を示すブロック図である。
【００４３】
上述した実施形態では、ディジタルＴＶ放送の電波の受信機能を持つ携帯端末について説明したが、本実施形態では、アナログのＴＶ放送電波の受信機能を持つ携帯端末について説明する。
【００４４】
本実施形態では、図１で示したＴＳデコード部９、音声デコード部１１、ビデオデコード部１５、ＣＭ識別子検出部１９、メモリ部２１、及びＣＰＵ２３に替えて、ビデオ検波回路５１、ビデオ信号処理部５３、音声検波回路５５、音声信号処理部５７、及びステレオ判別回路５９を備えた点で、図１で示した携帯端末と相違する。その他の構成については、図１で示した携帯端末と同様であるので、図４において、図１で示した物と同一物には同一符号を付してそれらの詳細な説明を省略する。
【００４５】
図４において、ビデオ検波回路５１は、データ切替部７を通じてチューナ３から出力されるＴＶ放送電波、又は再生データ保持部５からの再生されたＴＶ放送電波を検波（復調）することにより、映像信号を抽出し、該抽出した映像信号をビデオ信号処理部５３に出力する。ビデオ信号処理部５３は、ステレオ判別回路５９の制御下で、ビデオ検波回路５１からの映像信号に対して所定の信号処理を施すことにより、ＬＣＤ１７に可視画像を表示する。
【００４６】
音声検波回路５５は、データ切替部７を通じてチューナ３から出力されるＴＶ放送電波、又は再生データ保持部５からの再生されたＴＶ放送電波を検波（復調）することにより、音声信号を抽出し、該抽出した音声信号を音声信号処理部５７、及びステレオ判別回路５９に出力する。音声信号処理部５７は、ステレオ判別回路５９の制御下で、音声検波回路５５からの音声信号に対して所定の信号処理を施すことにより、スピーカ１３を通じて外部に音声を出力する。
【００４７】
ステレオ判別回路５９は、図１で示したＣＰＵ２３におけると同様に、チュ−ナ３、再生データ保持部５、データ切替部７、ビデオ信号処理部５３、音声信号処理部５７、及びバックライト制御部２５を、その制御下に置く。ステレオ判別回路５９は、ＴＶ放送信号中の音声信号を基に、該信号に含まれるコマーシャル部分を検出するためのもので、ステレオ判別回路５９は、音声検波回路５５からの音声信号に基づいて、ＴＶ放送信号中の音声信号が例えばステレオ放送モードになっているか、それともモノラル放送モード、又は二ヶ国語放送モードになっているかを検知する。この検知の結果、上記音声信号がステレオ放送モードになっていることを認識すると、ステレオ判別回路５９は、コマーシャル部分であると判断し、バックライト制御部２５を通じてバックライト２７を消灯させる。一方、上記検知の結果、上記音声信号がモノラル放送モード、又は二ヶ国語放送モードになっていることを認識すると、ステレオ判別回路５９は、コマーシャル部分ではない（つまり、通常の放送番組の部分である）と判断して、バックライト２７の消灯制御は行わない。
【００４８】
一般に、ＴＶ放送においては、コマーシャル部分はステレオで放送され、通常の放送番組についてはモノラル（又は二ヶ国語放送）で放送されることが多い。そこで、本実施形態では、ステレオ判別回路５９によりＴＶ放送の音声多重モードをモニタリングすることにより、コマーシャル部分の時間軸上におけるスタートポイントと、エンドポイントとを認識して、コマーシャル部分についてはバックライト制御部２５を通じてバックライト２７を消灯制御するようにした。
【００４９】
図５は、図４に記載の携帯端末における各部の処理動作を示すフローチャートである。
【００５０】
図５において、ステレオ判別回路５９は、まず、音声検波回路５５からの音声信号に基づいて、該音声信号がステレオ放送モードになっているか否かをチェックする（ステップＳ６１）。このチェックの結果、上記音声信号がステレオ放送モードになっていないと判断すれば（ステップＳ６１でNO）、バックライト制御部２５を通じたバックライト２７の消灯制御は行わない。一方、上記チェックの結果、上記音声信号がステレオ放送モードになっていると判断すれば（ステップＳ６１でYES）、バックライト制御部２５を通じたバックライト２７の消灯制御を行う（ステップＳ６２）。次に、バックライト２７の消灯制御を行っている間、ステレオ判別回路５９は適宜な時間間隔で音声検波回路５５からの音声信号に基づいて、該音声信号がステレオ放送モードになっているか否かを再度チェックする（ステップＳ６３）。このチェックの結果、上記音声信号がステレオ放送モードになっていると判断すれば（ステップＳ６３でYES）、バックライト制御部２５を通じたバックライト２７の消灯制御を継続する。一方、上記チェックの結果、上記音声信号がステレオ放送モードになっていないと判断すれば（ステップＳ６３でNO）、バックライト制御部２５を通じて再びバックライト２７を点灯させ（ステップＳ６４）、ステレオ判別回路５９による一連の処理動作が終了する。
【００５１】
以上説明したように、本発明の他の実施形態においても、本発明の一実施形態におけると同様の作用効果を奏し得る。
【００５２】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。例えば、上述した各実施形態では、コマーシャル部分の時間帯においては、バックライト２７を消灯させることで、携帯端末の駆動電源であるバッテリ（図示しない）に蓄積されている電力の消費量を節減することとして説明したが、バックライト２７の消灯制御と同期して、スピーカ１３を通じた音声出力や、ＬＣＤ１７を通じた画像（映像）出力を共にオフにする制御を行うことによって、上記バッテリ（図示しない）に蓄積されている電力の消費量を節減するようにすることもできる。
【００５３】
また、ユーザが選択可能な設定項目として、例えば（１）音声オン／バックライト点灯、（２）音声オン／バックライト消灯、（３）音声オフ／バックライト点灯、及び（４）音声オフ／バックライト消灯の４種類の設定項目を備えるメニュー画面を、予めメモリ部２１、又はステレオ判別回路５９が持つ記憶領域に記憶させておき、ＴＶ放送の内容が、通常の放送番組からコマーシャルに切り替わったときに、上記メニュー画面をＬＣＤ１７に表示して、ユーザに何れの設定項目を選択するかを委ねるようにしても良い。即ち、上記表示された各設定項目の何れかをユーザが指先で触れると、該触れた設定項目で上記バッテリ（図示しない）の電力が節減される。
【図面の簡単な説明】
【００５４】
【図１】本発明の一実施形態に係る携帯端末の全体構成を示すブロック図。
【図２】本発明の一実施形態に係るＴＶ信号の構成を示す説明図。
【図３】図１に記載した携帯端末における各部の処理動作を示すフローチャート。
【図４】本発明の他の実施形態に係る携帯端末の全体構成を示すブロック図。
【図５】図４に記載した携帯端末における各部の処理動作を示すフローチャート。
【符号の説明】
【００５５】
１  アンテナ
３  チューナ
５  再生データ保持部
７  データ切替部
９  トランスポート・ストリームデコード部（ＴＳデコード部）
１１  音声デコ−ド部
１３  スピーカ
１５  ビデオデコード部
１７  液晶表示部（ＬＣＤ）
１９  コマーシャル識別子検出部（ＣＭ識別子検出部）
２１  メモリ部
２３  ＣＰＵ
２５  バックライト制御部
２７  バックライト
２９  録画スイッチ
５１  ビデオ検波回路
５３  ビデオ信号処理部
５５  音声検波回路
５７  音声信号処理部
５９  ステレオ判別回路
【図１】
2005328282.tif 000003
【図２】
2005328282.tif 000004
【図３】
2005328282.tif 000005
【図４】
2005328282.tif 000006
【図５】
2005328282.tif 000007